(57)【特許請求の範囲】
【請求項１】
活性物質を含む製品（５）の不活性包装のための密封されたバッグ包装体（１０）を製造するための方法であって、
２つのカバーフィルム（４１、６１）またはカバーフィルム部分は、受け入れ部（１２）を形成する縁部（１１）内で互いに連結され、
少なくとも１つの穿孔部（１９）は、縁部（１１）内に設けられ、
少なくとも１つの溝（４５、６５）を有し、受け入れ部（１２）を覆うカバーフィルム（４１；６１）またはカバーフィルム部分の一部を横断する溝システム（５６、７６）は、レーザを用いて２つのカバーフィルム（４１、６１）またはカバーフィルム部分内に導入され、
各々の溝（４５、６５）は、分岐点（４４、６４）内の一方の端部において２つの溝分岐部（４２、４３：６２、６３）になるように合流し、
バッグ包装体（１０）の周囲縁（２４）を遮る切り込み（２３）は、２つの溝分岐部（４２、４３；６２、６３）間に導入される、前記方法。
【請求項２】
個々のカバーフィルム（４１、６１）は、内側金属層を備えた複数の層で構成され、溝システム（５６、７６）は、金属層内に、金属層の厚さの最大９０％まで導入されることを特徴とする、請求項１に記載の活性物質を含む製品（５）の不活性包装のための密封されたバッグ包装体（１０）を製造するための方法。
【請求項３】
少なくとも１つの穿孔部（１９）を有し、活性物質を含む製品（５）の不活性包装のための、プレート形状の縁部（１１）によって取り囲まれた受け入れ部（１２）を有し、受け入れ部（１２）を画成し、縁部（１１）を形成するカバーフィルム（４１、６１）またはカバーフィルム部分を含む、密封されたバッグ包装体（１０）であって、
カバーフィルム（４１、６１）またはカバーフィルム部分は、いずれの場合も、少なくとも１つの溝（４５；６５）を有する溝システム（５６、７６）を含み、
溝システム（５６；７６）は、受け入れ部（１２）を覆うカバーフィルム（４１；６１）またはカバーフィルム部分の一部を横断し、
各々の溝（４５、６５）は、一方の端部上に２つの溝分岐部（４２、４３；６２、６３）になる分岐点（４４、６４）を含み、
バッグ包装体（１０）の周囲縁（２４）を遮る切り込み（２３）は、２つの溝分岐部（４２、４３；６２、６３）の間に配置されることを特徴とする、前記密封されたバッグ包装体（１０）。
【請求項４】
溝（４５；６５）は、中断部を有さないことを特徴とする、請求項３に記載の密封されたバッグ包装体（１０）。
【請求項５】
２つの溝システム（５６；７６）は、互いに対して合同になるように配置されることを特徴とする、請求項３に記載の密封されたバッグ包装体（１０）。
【請求項６】
各々の溝システム（５６、７６）は、最大で１つの周囲縁（２６）と接触することを特徴とする、請求項３に記載の密封されたバッグ包装体（１０）。
【請求項７】
溝（４５；６５）によって接触される周囲縁（２６）は、切り込み（２３）から遠隔にあることを特徴とする、請求項６に記載の密封されたバッグ包装体（１０）。
【請求項８】
溝システム（５６、７６）は、７５度から９０度の間である開口部角度のセグメント内で受け入れ部（１２）を横断することを特徴とする、請求項３に記載の密封されたバッグ包装体（１０）。
【請求項９】
前記バッグ包装体は、溝（４５；６５）の外側で穿孔部（１９）を有する縁部３３内にマーキング（２２）を有することを特徴とする、請求項３に記載の密封されたバッグ包装体（１０）。
【請求項１０】
溝（４５；６５）の深さは、カバーフィルム（４１；６１）またはカバーフィルム部分の厚さの最大９０％であることを特徴とする、請求項３に記載の密封されたバッグ包装体（１０）。
【請求項１１】
個々の溝（４５；６５）は、広範囲にわたってＵ字形状の断面を含むことを特徴とする、請求項３に記載の密封されたバッグ包装体（１０）。
【請求項１２】
個々のカバーフィルム（４１；６１）または個々のカバーフィルム部分は、内部の閉じられた金属層を備えた複数の層を備えて構築されることを特徴とする、請求項３に記載の密封されたバッグ包装体（１０）。
【発明の詳細な説明】
【技術分野】
【０００１】
本発明は、密封された（ｈｅｒｍｅｔｉｃａｌｌｙ  ｓｅａｌｅｄ）バッグ包装体を製造するための方法と、少なくとも１つの穿孔部を有し、活性物質を含む製品の不活性包装のための、プレート形状の縁部によって取り囲まれた受け入れ部を有する密封されたバッグ包装体であって、受け入れ部を画成し、縁部を形成するカバーフィルムまたはカバーフィルム部分を含む、バッグ包装体とに関する。
【背景技術】
【０００２】
特許文献１により、このタイプのバッグ包装体が知られている。個々の閉じられたバッグ包装体は、穿孔部に沿ってスタックから引き裂かれる。バッグ包装体は、次いで、ベースフィルムおよびカバーフィルムを２つのタブにて互いに引き離すことによって開封される。
【先行技術文献】
【特許文献】
【０００３】
【特許文献１】独国特許第１０２００９００８０２７Ａ１号
【発明の概要】
【発明が解決しようとする課題】
【０００４】
本発明の基礎となる特有の問題は、容易にかつすばやく開封することができる積み重ね可能な密封されたバッグ包装体を開発することである。加えて、すべての個々のバッグ包装体の元の有無および構成が、スタック内で認識可能であるものとする。
【課題を解決するための手段】
【０００５】
前記特有の問題は、主要特許請求項の特徴によって解決される。この目的を達成するために、カバーフィルムまたはカバーフィルム部分は、いずれの場合も、少なくとも１つの溝を備えた溝システム（ｃｈａｎｎｅｌ  ｓｙｓｔｅｍ）を含む。溝システムは、受け入れ部を覆うカバーフィルムまたはカバーフィルム部分の一部を横断する。各々の溝は、一方の端部上に２つの溝分岐部（ｂｒａｎｃｈ）になる分岐点（ｂｒａｎｃｈｉｎｇ）を含む。加えて、バッグ包装体の周囲縁を遮る切り込み（ｉｎｃｉｓｉｏｎ）が、２つの溝分岐部の間に配置される。
【０００６】
密封されたバッグ包装体の製造中、溝システムは、レーザを用いてカバーフィルムまたはカバーフィルム部分に導入される。
【０００７】
本発明のさらなる詳細は、従属請求項、および概略的に示される例示的な実施形態の以下の説明から示される。
【図面の簡単な説明】
【０００８】
【図１】バッグ包装体の上面図である。
【図２】バッグ包装体の後面図である。
【図３】バッグ包装体の部分断面図である。
【図４】バッグ包装体のポーチ形状部分の図である。
【図５】複数の溝を備えた溝システムの図である。
【発明を実施するための形態】
【０００９】
図１から３は、活性物質を含む製品（５）用のバッグ包装体（１０）を示している。バッグ包装体（１０）のこれらのタイプは、スタックで提供され、各々の個々のバッグ包装体（１０）は、活性物質を含むある用量の製品（５）を含む。たとえば、活性物質を含む製品（５）の１用量を１日にとらなければならない場合、スタックは、たとえば、１週間に必要なものとして７個のバッグ包装体（１０）を含む。
【００１０】
スタックの個々のバッグ包装体（１０）は、たとえば、互いに同一である。図１の上面図において、バッグ包装体（１０）は、矩形領域を有する。長さは、たとえば、幅より１５％長い。楕円形、円形、多角形などである領域もまた、考えられる。
【００１１】
例示的な実施形態では、バッグ包装体（１０）は、２つのカバーフィルム（４１、６１）からなり、これらのカバーフィルムは、周囲縁部（１１）内で互いに接着または溶接される。個々のカバーフィルム（４１；６１）は、たとえば、複数の層で積層体として構築され、９マイクロメートルを上回る厚さを有する内部金属層、たとえばアルミニウム層を有し、たとえば、その厚さは１２から２５マイクロメートルの間である。したがって、バッグ包装体（１０）は、密封される。カバーフィルム（４１、６１）は、異なる材料から製造可能であり、異なる強度値を有することができる。ここでカバーフィルム（４１、６１）として示される前記フィルムの１つは、ベースフィルム（４１、６１）として実現することができる。また、たとえば１つのカバーフィルム（４１、６１）を透明にし、他の１つを非透明にすることも可能である。バッグ包装体（１０）はまた、１つだけの折り畳まれたカバーフィルム（４１；６１）から製造することもでき、その２つのカバーフィルム部分は、次いで互いに連結される。
【００１２】
縁部（１１）は、たとえば、プレート形状の形で実現される。その最少幅は、例示的な実施形態では、バッグ包装体（１０）の幅の１０％である。これは、受け入れ部（１２）を取り囲む。図１の平面図上に投影される受け入れ部（１２）の表面は、バッグ包装体（１０）の投影面積の４６％である。したがって、受け入れ部（１２）の投影表面は、バッグ包装体（１０）の投影面積の４０％から６０％の間である。
【００１３】
図１および３の図では、活性物質を含む製品（５）は、気密性および水密性になるように閉じられた受け入れ部（１２）内に不活性状態で配置される。図１の平面図上に投影される、活性物質を含む製品（５）の表面は、前記平面上に投影される受け入れ部（１２）の表面より小さい。したがって、受け入れ部（１２）は、活性物質を含む製品（５）を取り囲むストリップ（１３）を含む。
【００１４】
受け入れ部（１２）は、図１の図では、少なくとも、丸み付けられたコーナを備えた、ほぼ矩形の形態である。前記図内の下側丸み付け部（ｒｏｕｎｄｉｎｇ）（１４、１５）は、たとえば、同じ半径を有する。右手の上側丸み付け部（１６）は、受け入れ部（１２）の方向に配向される。左手の上側丸み付け部（１７）は、たとえば、バッグ包装体（１０）の幅の４分の１に相当する半径を有する。前記丸み付け部（１７）を左手下側丸み付け部（１４）に連結する境界部（１８）は、たとえば、バッグ包装体の外側縁（２６）に対して５度の角度を含んでいる。前記角度は、たとえば、２度から３０度の間になることができ、図１の図における縁部の幅は、底部から上部にかけて増大する。
【００１５】
２つの穿孔部（１９）が、受け入れ部（１２）から遠隔の縁部（１１）内に、前記受け入れ部から間隔をあけて配置される。バッグ包装体（１０）は、たとえば前記穿孔部に貫入するリベットを用いて、スタック内に解放可能でないように締結される。
【００１６】
図１の図では、バッグ包装体（１０）は、長手方向側（２１）の一方の受け入れ部（１２）の外側にマーキング（２２）を有する（ｂｅａｒ）。たとえば、用量番号、連番、または別の識別番号などをここに記載することができる。
【００１７】
縁部（１１）は、図１の例示的な実施形態では受け入れ部（１２）の上側端部の数ミリメートル下に切り込み（２３）を有する。切り込み（２３）の長さは、たとえば、前記領域内の縁幅の６０％である。前記図では、２つの溝分岐部（４２、４３；６２、６３）が、カバーフィルム（４１、６１）またはカバーフィルム部分の各々内で切り込み（２３）に対して対称的に配置される。これらは、カバーフィルム（４１、６１）またはカバーフィルム部分の溝形状の、中断されない凹部である。例示的な実施形態では、これらは、一定の、たとえばＵ字形の断面を有する。すべての溝分岐部（４２、４３；６２、６３）は、たとえば、切り込み側のバッグ包装体（１０）の長手方向縁（２４）から１ミリメートルの間隔をあけて存在する。
【００１８】
カバーフィルム（４１；６１）またはカバーフィルム部分の２つの溝分岐部（４２、４３；６２、６３）は、例示的な実施形態では丸み付け部（１６）と受け入れ部（１２）の間の移行部に配置される１つの分岐部（４４；６４）内で接合される。２つの溝分岐部（４２、４３；６２、６３）は、ここで接線方向に１つの溝（４５；６５）になるように合流する。それぞれの溝（４５；６５）は、たとえば、溝分岐部（４２、４３；６２、６３）と同一の断面を有する。図３の描写では、個々の溝（４５、６５）は、Ｕ字形の溝底部（４６、６６）と、内側から外側に開く壁（４７、６７）とを有する。前記例示的な実施形態では、カバーフィルム（４１）の溝システム（５６）およびカバーフィルム（６１）の溝システム（７６）は、いずれの場合も、溝（４５；６５）を含む。
【００１９】
個々の溝（４５；６５）は、例示的な実施形態では、活性物質を含む製品（５）の方向に、受け入れ部（１２）の縁（２５）に対して平行にずれて延びる。これは、後者からたとえば１ミリメートルの間隔をあけて存在する。したがって、溝は、受け入れ部（１２）を覆うカバーフィルム（４１；６１）またはカバーフィルム部分の一部を横断する。図１〜３に示される活性物質を含む製品（５）を備えたバッグ包装体（１０）の場合、溝（４５、６５）は、たとえば、内側表面（４９、６９）がストリップ（１３）を覆う領域内のカバーフィルム（４１；６１）の外側表面（４８、６８）内に配置される。
【００２０】
溝（４５、６５）は、受け入れ部（１２）の縁（２５）に沿って下側丸み付け部（１４）まで延びる。したがって、これは、９０度の受け入れ部（１２）のセグメントを覆う。溝（４５；６５）が通過するセグメントは、７５度から９０度の間の開口部角度を有することができる。受け入れ部（１２）内の溝（４５；６５）の弦は、活性物質を含む製品（５）の最大寸法より長い。溝（４５；６５）の曲線部分の半径は、たとえば２０ミリメートルである。前記半径は、たとえば１０ミリメートルを上回る。溝（４５；６５）の曲線は、たとえば、８５度の区域を覆う。区域の角度は、８５〜９０度の間になることができる。図１の図の溝（４５；６５）は、下側丸み付け部（１４）から右に、左手の外側縁（２６）まで延び、ここで端点（５１）と接触する。しかし、個々の溝（４５；６５）はまた、縁部内（１１）の、受け入れ部（１２）と長手方向縁（２６）の間で終端することもできる。
【００２１】
溝（４５）が、図１の平面図内に配置された、横断方向（２７）が横座標であり長手方向（２８）が縦座標である平面座標系上に投影された場合、端点（５１）と分岐点（４４）の間の領域内の展開は、連続的に微分可能である単調曲線を生み出す。横断方向（２７）の各々の値は、バッグ包装体（１０）の長手方向（２８）の正確な１つの値に関連付けられている。
【００２２】
例示的な実施形態では、２つのカバーフィルム（４１、６１）または２つのカバーフィルム部分の溝（４５、６５）は、互いに対して合同である。個々の溝（４５、６５）の深さは、カバーフィルム（４１、６１）またはカバーフィルム部分の厚さの最大９０％に相当する。個々の溝（４５、６５）はまた、説明した断面の代わりに矩形、Ｖ字形などの断面を有することもできる。
【００２３】
溝（４５、６５）は、たとえばバッグ包装体（１０）の製造中、カバーフィルム（４１、６１）に導入される。これは、たとえば、いわゆるレーザスコーリングを用いて行われる。これに関連して、カバーフィルム（４１、６１）の表面の個々の領域は、レーザを用いて除去される。除去は、線に沿って、カバーフィルム（４１、６１）とレーザの間の互いに対する相対運動の結果、行われる。これに関連して、カバーフィルム（４１、６１）の金属層を脆弱化することができるが、前記金属層は、閉じられたままである。たとえば溝システム（５６、７６）は、金属層の９０％の深さまで導入される。溝（４５；６５）は、金属層に貫入せず、または金属層は穿孔されない。したがって、個々のバッグ包装体（１０）の緊密性が確実にされる。溝分岐部（４２；４３；６２；６３）を含む第１の溝（４５；６５）が製造された後、第２の溝分岐部（４３；４２；６３；６２）が、たとえば、分岐点（４４；６４）から導入される。マーキング（２２）が、たとえばこれと並行して生成される。
【００２４】
溝システム（５６、７６）の導入は、バッグ包装体（１０）の製造および活性物質を含む製品（５）の導入の前または後に行うことができる。
【００２５】
溝システム（５６、７６）が、たとえば溶接プロセス前に個々のカバーフィルム（４１、６１）内に導入される場合、活性物質を含む製品（５）を含むカバーフィルム（４１、６１）は、互いに上下に置かれ、芳香密封性（ａｒｏｍａ−ｔｉｇｈｔ）になるように互いに連結される。前記連結は、たとえば、バッグ包装体（１０）の縁部（１１）内で領域全体にわたって行われる。
【００２６】
仕上げられたバッグ包装体（１０）は、積み重ねられ、リベット留めされる。これは、その後、スタックで、たとえばいわゆるカレンダーパックでユーザに提供することができる。各々の個々の用量は、密封挿入式に包装される。したがって、個々の用量は、気密式、芳香密封式、および水密式に環境から保護される。
【００２７】
ユーザは、取り外しのために、スタックをたとえば左手で保持し、バッグ包装体（１０）をたとえば右手の２本の指でつかむ。これに関連して、親指は、たとえば、受け入れ部（１２）上にあり、人指し指は、受け入れ部（１２）の後側を支持する。右手が、次いで左に動かされた場合、バッグ包装体は、切り込み部（２３）にて引き裂かれる。この引き裂きは、抵抗を増しながら、両方のカバーフィルム（４１、６１）に沿って、たとえば分岐点（４４、６４）まで続く。切り込みからの引き裂きが、直線ではなく傾いて続く場合、これは、上側溝分岐部（４２、６２）または下側溝分岐部（４３、６３）に沿って捕える。ここでは、引き裂きは、溝分岐部（４２、４３；６２、６３）に入るように誘導される。引き裂きは、両方のカバーフィルム（４１；６１）内で、分岐点（４４、６４）の方向に、周囲のカバーフィルム（４１、６１）より小さい材料強度を含む溝分岐部（４２、４３；６２、６３）に沿って続く。さらに引き裂かれると、引き裂きは、少なくとも分岐点（４４、６４）から溝（４５、６５）を辿る。右手が左にさらに動かされたとき（図１を参照）、引き裂きは左へとますます成長する。溝（４５、６５）の説明した外形の結果、バッグ包装体（１０）の開封は、１回引くだけで行うことができる。溝長さ全体に沿った溝（４５；６５）の展開は、各々の増分においてゼロを上回る横断方向（２７）の成分を有するため、引き裂き開封することは、妨げられず、またはブロックされない。ユーザは引く方向を変更する必要はない。受け入れ部（１２）は、活性物質を含む製品（５）の外側で開封される。それと同時に、活性物質を含む製品（５）備えたポーチ形状部分（２９）が、引き剥がされる（図４を参照）。活性物質を含む製品（５）は、これに関連して、ユーザが開口部（３１）を上方向にして手で保持するバッグ包装体（１０）のポーチ形状部分（２９）内に留まる。ポーチ（２９）の大きい開口部（３１）の結果、活性物質を含む製品（５）は、難無く取り外すことができる。
【００２８】
ここで説明する開封操作は、右手で引く右ききの人に適している。しかし、同じバッグ包装体（１０）はまた、左ききの人にも使用することができる。この目的のために、後側（３２）が上方向に向けられる（図２を参照）。開封操作は、上記で説明したのと同じように行われる。この場合もまたバッグ包装体（１０）を開封するには、片方の手の動きだけで十分である。
【００２９】
活性物質を含む製品（５）を備えたポーチ（２９）が引き剥がされた後、バッグ包装体（１０）の、たとえば上側の左手縁部（３３）は、スタック内に留まる。マーキング（２２）は、縁部（１１）の前記部分（３３）内にある。したがって、ユーザまたは第３者は、たとえば、１日に提供される活性物質を含む製品（５）の用量が、すでに取り外されているかどうかを容易に確認することができる。加えて、バッグ包装体（１０）が取り外された後でも、すべての個々のバッグ包装体（１０）の元の位置および構成を完璧に認識することができる。バッグ包装体（１０）のすべてが、スタックからすでに取り外されている場合であっても、カレンダーパック内の個々の用量の元の配置を実証することが、このように可能である。
【００３０】
溝（４５、６５）および溝分岐部（４２、４３；６２、６３）はまた、説明した方法以外のやり方、たとえばエッチング、エングレービングなどでカバーフィルム（４５、６５）またはカバーフィルム部分内に導入することもできる。
【００３１】
２つのカバーフィルム（４２、４３、６２、６３）またはカバーフィルム部分の溝（４５、６５）はまた、互いに対してずらした領域内に配置することもできる。たとえば、バッグ包装体（１０）に沿った傾いた引き裂きが、こうして生み出される。生み出された引き裂き縁（３４）は、たとえば、ユーザに面するカバーフィルム（４１、６１）がユーザから遠隔にあるカバーフィルム（６１；４１）より深く切断されるように配置され得る。
【００３２】
溝（４５、６５）および／または溝分岐部（４２、４３；６２、６３）はまた、カバーフィルム（４１、６１）またはカバーフィルム部分の内側表面（４９、６９）上にも配置され得る。一方のカバーフィルム（４１；６１）の溝（４５；６５）を内側表面（４９）内に、および他方のカバーフィルム（６１；４１）の溝（６５；４５）を外側表面（４８；６８）内に挿入することも考えられる。一方または両方の溝分岐部（４２、４３；６２、６３）はまた、溝（４５；６５）以外の表面（４８；４９）内に導入することもできる。
【００３３】
例示的な実施形態では、溝（４５、６５）は、線形の形で実現される。しかし、溝（４５、６５）はまた、波形状を有したり、二次溝を有したりすることなどができる。バッグ包装体（１０）はまた、複数の溝（４５、５２、６５）を備えた溝システム（５６、７６）を含むこともできる（図５を参照）。前記図５では、たとえば、左から右に引き裂き開封されるバッグ包装体（１０）が、示される。個々の溝（４５、６５）は、カバーフィルム（４１、６１）内で終端する。連結溝（５２）は、次いで、第１の溝（４５）の溝端部（５５）の両側に位置する２つの溝分岐部（５３、５４）を有する。片手で引き裂き開封されたとき、抵抗が増大する短いゾーンが、切り込み（２３）から始まって生み出される。したがって、バッグ包装体（１０）をたとえば不注意に引き裂くことを困難にすることができる。
【００３４】
言うまでもなく、異なる前述の実施形態を一緒に組み合わせることも考えられる。
【符号の説明】
【００３５】
５  活性物質を含む製品
１０  バッグ包装体
１１  縁部
１２  受け入れ部
１３  ストリップ
１４  下側丸み付け部
１５  下側丸み付け部
１６  上側丸み付け部
１７  上側丸み付け部
１８  境界部
１９  穿孔部
２１  長手方向側
２２  マーキング
２３  切り込み
２４  切り込みの側の長手方向縁、周囲縁
２５  （１２）の縁
２６  外側縁、周囲縁
２７  横方向
２８  長手方向
２９  ポーチ形状部分、バッグ
３１  開口部
３２  後側
３３  上側左縁部、（１１）の部分
３４  引き裂き縁
４１  カバーフィルム、ベースフィルム
４２  溝分岐部
４３  溝分岐部
４４  分岐点
４５  溝
４６  溝底部
４７  壁
４８  外側表面
４９  内側表面
５１  端点
５２  溝
５３  溝分岐部
５４  溝分岐部
５５  溝端部
５６  溝システム
６１  カバーフィルム；ベースフィルム
６２  溝分岐部
６３  溝分岐部
６４  分岐点
６５  溝
６６  溝底部
６７  壁
６８  外側表面
６９  内側表面
７６  溝システム
【図１】
0005985664.tif 000002
【図２】
0005985664.tif 000003
【図３】
0005985664.tif 000004
【図４】
0005985664.tif 000005
【図５】
0005985664.tif 000006